(57)【特許請求の範囲】
【請求項１】
最適化対象ＵＲＬについてのキーワード、当該キーワードを含むホームページタイトル文及び当該キーワードを含むホームページ概要文の入力画面を、ディスプレイ装置部に表示する手段と、
前記入力画面に、キーワード、当該キーワードを含むホームページタイトル文及び当該キーワードを含むホームページ概要文の入力を受けたときに、ＨＴＭＬのキーワードタグ、当該キーワードを含むタイトルタグ及び当該キーワードを含むディスクリプションタグを自動生成する手段と、
ＨＴＭＬの既存構文に、前記自動生成したＨＴＭＬのキーワードタグ、当該キーワードを含むタイトルタグ及び当該キーワードを含むディスクリプションタグが存在するか否かを検索する手段と、
前記検索の結果、存在しなかった場合には、ＨＴＭＬの既存構文を前記自動生成したＨＴＭＬのキーワードタグ、当該キーワードを含むタイトルタグ及び当該キーワードを含むディスクリプションタグに置き換える手段と、
前記検索の結果、存在した場合には、ＨＴＭＬの既存構文を置き換えることなく入力画面に戻し、他のキーワード、当該キーワードを含むホームページタイトル文及び当該キーワードを含むホームページ概要文の入力を求める手段と、
前記置き換えられたＨＴＭＬのキーワードタグ、当該キーワードを含むタイトルタグ及び当該キーワードを含むディスクリプションタグに基づき、ホームページのヘッダー部及び／又はホームページのフッター部に、当該キーワード及び／又は当該キーワードを含むタイトル文を自動挿入する手段とを、
有することを特徴とする検索エンジンに対するホームページの最適化施工システム。
【請求項２】
ホームページのヘッダー部及び／又はホームページのフッター部に、キーワード及び／又は当該キーワードを含むタイトル文を自動挿入した後、当該キーワード及び／又は当該キーワードを含むタイトル文を追加挿入すべきホームページの他の場所を指定するための入力画面を、ディスプレイ装置部に表示する手段と、
前記入力画面に、指定場所の入力を受けたときに、ホームページの当該場所にキーワード及び／又は当該キーワードを含むタイトル文を挿入する手段とを、
更に有することを特徴とする請求項１記載の検索エンジンに対するホームページの最適化施工システム。
【請求項３】
キーワード及び／又は当該キーワードを含むタイトル文の挿入終了後、ＨＴＭＬタグ内に、カスケードスタイルシート文が存在するか否かを検索する手段と、
前記検索の結果、カスケードスタイルシート文が存在した場合には、その部分を別ファイル化する手段と、
前記検索の結果、カスケードスタイルシート文が存在しなかった場合には、ＨＴＭＬタグ内にジャバスクリット文が存在するか否かを検索する手段と、
前記検索の結果、ジャバスクリット文が存在した場合には、その部分を別ファイル化する手段とを、
更に有することを特徴とする請求項１又は２記載の検索エンジンに対するホームページの最適化施工システム。
【請求項４】
コンピュータを、
最適化対象ＵＲＬについてのキーワード、当該キーワードを含むホームページタイトル文及び当該キーワードを含むホームページ概要文の入力画面を、ディスプレイ装置部に表示する手段と、
前記入力画面に、キーワード、当該キーワードを含むホームページタイトル文及び当該キーワードを含むホームページ概要文の入力を受けたときに、ＨＴＭＬのキーワードタグ、当該キーワードを含むタイトルタグ及び当該キーワードを含むディスクリプションタグを自動生成する手段と、
ＨＴＭＬの既存構文に、前記自動生成したＨＴＭＬのキーワードタグ、当該キーワードを含むタイトルタグ及び当該キーワードを含むディスクリプションタグが存在するか否かを検索する手段と、
前記検索の結果、存在しなかった場合には、ＨＴＭＬの既存構文を前記自動生成したＨＴＭＬのキーワードタグ、当該キーワードを含むタイトルタグ及び当該キーワードを含むディスクリプションタグに置き換える手段と、
前記検索の結果、存在した場合には、ＨＴＭＬの既存構文を置き換えることなく入力画面に戻し、他のキーワード、当該キーワードを含むホームページタイトル文及び当該キーワードを含むホームページ概要文の入力を求める手段と、
前記置き換えられたＨＴＭＬのキーワードタグ、当該キーワードを含むタイトルタグ及び当該キーワードを含むディスクリプションタグに基づき、ホームページのヘッダー部及び／又はホームページのフッター部に、当該キーワード及び／又は当該キーワードを含むタイトル文を自動挿入する手段として、
機能させるための検索エンジンに対するホームページの最適化施工プログラム。
【請求項５】
コンピューターを、
ホームページのヘッダー部及び／又はホームページのフッター部に、キーワード及び／又は当該キーワードを含むタイトル文を自動挿入した後、当該キーワード及び／又は当該キーワードを含むタイトル文を追加挿入すべきホームページの他の場所を指定するための入力画面を、ディスプレイ装置部に表示する手段と、
前記入力画面に、指定場所の入力を受けたときに、ホームページの当該場所にキーワード及び／又は当該キーワードを含むタイトル文を挿入する手段として、
更に機能させるための請求項１記載の検索エンジンに対するホームページの最適化施工プログラム。
【請求項６】
コンピューターを、
キーワード及び／又は当該キーワードを含むタイトル文の挿入終了後、ＨＴＭＬタグ内に、カスケードスタイルシート文が存在するか否かを検索する手段と、
前記検索の結果、カスケードスタイルシート文が存在した場合には、その部分を別ファイル化する手段と、
前記検索の結果、カスケードスタイルシート文が存在しなかった場合には、ＨＴＭＬタグ内にジャバスクリット文が存在するか否かを検索する手段と、
前記検索の結果、ジャバスクリット文が存在した場合には、その部分を別ファイル化する手段として、
更に機能させるための請求項１又は２記載の検索エンジンに対するホームページの最適化施工プログラム。
【発明の詳細な説明】
【技術分野】
【０００１】
本発明は検索エンジンに対し、ホームページの最適化を施工するためのシステム及びプログラムに関する。
【背景技術】
【０００２】
”Ｙａｈｏｏ”や”Ｇｏｏｇｌｅ”に代表される各種検索サイトにおいて、自己のホームページの検索ランキングアップやトラフィック量を増やすために、当該検索エンジンのアルゴリズムに自己のホームページがマッチし易くなるように最適化を施す、所謂ＳＥＯが施工実施されている。
【０００３】
しかしながら、従来斯かるＳＥＯの施工には、ホームページの作成時、あるいはホームページの作成後に、専門家が検索エンジンのアルゴリズムに最もマッチするように手作業でキーワード率を調整したり、サイトリンクを構成し直したり、各種のＨＴＭＬタグを修正することによって実施していたのが実状であった。
【０００４】
すなわち、ＳＥＯの施工実施には専門知識が不可欠で、従来、中小企業や個人事業者のように、専門知識のないホームページ開設者は、自らＳＥＯを施工実施することはできないのが実状であり、自ずと高い費用と時間をかけて専門家に委託しなければならない、と云う問題があった。
【発明の開示】
【発明が解決しようとする課題】
【０００５】
本発明は、上記の如き従来の実状と問題に鑑みてなされたもので、専門知識を持たない者でも自己のホームページに、検索エンジンに対する最適化を容易かつ短時間に施工実施することができる検索エンジンに対するホームページの最適化施工システム及びプログラムを提供することを課題とする。
【課題を解決するための手段】
【０００６】
本発明は、最適化対象ＵＲＬについてのキーワード、当該キーワードを含むホームページタイトル文及び当該キーワードを含むホームページ概要文の入力画面を、ディスプレイ装置部に表示する手段と、
前記入力画面に、キーワード、当該キーワードを含むホームページタイトル文及び当該キーワードを含むホームページ概要文の入力を受けたときに、ＨＴＭＬのキーワードタグ、当該キーワードを含むタイトルタグ及び当該キーワードを含むディスクリプションタグを自動生成する手段と、
ＨＴＭＬの既存構文に、前記自動生成したＨＴＭＬのキーワードタグ、当該キーワードを含むタイトルタグ及び当該キーワードを含むディスクリプションタグが存在するか否かを検索する手段と、
前記検索の結果、存在しなかった場合には、ＨＴＭＬの既存構文を前記自動生成したＨＴＭＬのキーワードタグ、当該キーワードを含むタイトルタグ及び当該キーワードを含むディスクリプションタグに置き換える手段と、
前記検索の結果、存在した場合には、ＨＴＭＬの既存構文を置き換えることなく入力画面に戻し、他のキーワード、当該キーワードを含むホームページタイトル文及び当該キーワードを含むホームページ概要文の入力を求める手段と、
前記置き換えられたＨＴＭＬのキーワードタグ、当該キーワードを含むタイトルタグ及び当該キーワードを含むディスクリプションタグに基づき、ホームページのヘッダー部（先頭部分）及び／又はホームページのフッター部（最後部分）に、当該キーワード及び／又は当該キーワードを含むタイトル文を自動挿入する手段とを、
有することを特徴とする検索エンジンに対するホームページの最適化施工システムにより上記課題を解決したものである。
【０００７】
また、本発明は、コンピュータを、
最適化対象ＵＲＬについてのキーワード、当該キーワードを含むホームページタイトル文及び当該キーワードを含むホームページ概要文の入力画面を、ディスプレイ装置部に表示する手段と、
前記入力画面に、キーワード、当該キーワードを含むホームページタイトル文及び当該キーワードを含むホームページ概要文の入力を受けたときに、ＨＴＭＬのキーワードタグ、当該キーワードを含むタイトルタグ及び当該キーワードを含むディスクリプションタグを自動生成する手段と、
ＨＴＭＬの既存構文に、前記自動生成したＨＴＭＬのキーワードタグ、当該キーワードを含むタイトルタグ及び当該キーワードを含むディスクリプションタグが存在するか否かを検索する手段と、
前記検索の結果、存在しなかった場合には、ＨＴＭＬの既存構文を前記自動生成したＨＴＭＬのキーワードタグ、当該キーワードを含むタイトルタグ及び当該キーワードを含むディスクリプションタグに置き換える手段と、
前記検索の結果、存在した場合には、ＨＴＭＬの既存構文を置き換えることなく入力画面に戻し、他のキーワード、当該キーワードを含むホームページタイトル文及び当該キーワードを含むホームページ概要文の入力を求める手段と、
前記置き換えられたＨＴＭＬのキーワードタグ、当該キーワードを含むタイトルタグ及び当該キーワードを含むディスクリプションタグに基づき、ホームページのヘッダー部及び／又はホームページのフッター部に、当該キーワード及び／又は当該キーワードを含むタイトル文を自動挿入する手段として、
機能させるための検索エンジンに対するホームページの最適化施工プログラムにより上記課題を解決したものである。
【発明の効果】
【０００８】
本発明によれば、アピールしたい特徴的な商品名、サービス名、会社の内容などをキーワード等として入力するだけで、検索エンジンが重要視するホームページのヘッダー部やフッター部に当該キーワード等が自動挿入されるので、格別専門知識のない者でも自己のホームページに、検索エンジンに対する最適化を容易かつ短時間に施工実施することができる。
【０００９】
また、検索サイトでのランキングアップが見られなかったり、時間の経過と共にランキングが下がった場合には、何回でも他のキーワード等を入力することにより、検索エンジンにマッチするように最適化を施工することができる。
【００１０】
従ってまた、外部の専門家に委託する必要がないので、大巾な施工時間の短縮と費用の削減が可能となる。
【発明を実施するための最良の形態】
【００１１】
以下本発明の一実施の形態を図面と共に説明する。
【００１２】
図１は本発明システムの概略構成説明図である。
当該図１において、１０は検索エンジンに対するホームページの最適化施工処理装置で、入力装置部１１、ディスプレイ装置部１２及び記憶装置部１３を備えている。
【００１３】
また、この最適化施工処理装置１０には、該最適化施工処理装置１０を、最適化対象ＵＲＬについてのキーワード、当該キーワードを含むホームページタイトル文及び当該キーワードを含むホームページ概要文の入力画面を、ディスプレイ装置部に表示する手段と、
前記入力画面に、キーワード、当該キーワードを含むホームページタイトル文及び当該キーワードを含むホームページ概要文の入力を受けたときに、ＨＴＭＬのキーワードタグ、当該キーワードを含むタイトルタグ及び当該キーワードを含むディスクリプションタグを自動生成する手段と、
ＨＴＭＬの既存構文に、前記自動生成したＨＴＭＬのキーワードタグ、当該キーワードを含むタイトルタグ及び当該キーワードを含むディスクリプションタグが存在するか否かを検索する手段と、
前記検索の結果、存在しなかった場合には、ＨＴＭＬの既存構文を前記自動生成したＨＴＭＬのキーワードタグ、当該キーワードを含むタイトルタグ及び当該キーワードを含むディスクリプションタグに置き換える手段と、
前記検索の結果、存在した場合には、ＨＴＭＬの既存構文を置き換えることなく入力画面に戻し、他のキーワード、当該キーワードを含むホームページタイトル文及び当該キーワードを含むホームページ概要文の入力を求める手段と、
前記置き換えられたＨＴＭＬのキーワードタグ、当該キーワードを含むタイトルタグ及び当該キーワードを含むディスクリプションタグに基づき、ホームページのヘッダー部及び／又はホームページのフッター部に、当該キーワード及び／又は当該キーワードを含むタイトル文を自動挿入する手段と、
ホームページのヘッダー部及び／又はホームページのフッター部に、キーワード及び／又は当該キーワードを含むタイトル文を自動挿入した後、当該キーワード及び／又は当該キーワードを含むタイトル文を追加挿入すべきホームページの他の場所を指定するための入力画面を、ディスプレイ装置部に表示する手段と、
前記入力画面に、指定場所の入力を受けたときに、ホームページの当該場所にキーワード及び／又は当該キーワードを含むタイトル文を挿入する手段と、
キーワード及び／又は当該キーワードを含むタイトル文の挿入終了後、ＨＴＭＬタグ内に、カスケードスタイルシート文が存在するか否かを検索する手段と、
前記検索の結果、カスケードスタイル文が存在した場合には、その部分を別ファイル化する手段と、
前記検索の結果、カスケードスタイル文が存在しなかった場合には、ＨＴＭＬタグ内にジャバスクリット文が存在するか否かを検索する手段と、
前記検索の結果、ジャバスクリット文が存在した場合には、その部分を別ファイル化する手段として、
機能させるための検索エンジンに対するホームページの最適化施工プログラムがインストールされている。
【００１４】
次に、本発明システムの作動例を、最適化施工処理ステップの概略フローチャートを示す図２に基いて説明する。
【００１５】
まず、本システムが作動を開始すると、最適化施工処理装置１０がディスプレイ装置部１２に、例えば図３（１）に示すような最適化対象ＵＲＬについてのキーワード、当該キーワードを含むホームページタイトル文及び当該キーワードを含むホームページ概要文の入力画面を表示する（Ｓ１００）。
【００１６】
次に、前記入力画面に、入力装置部１１からキーワード、当該キーワードを含むホームページタイトル文及び当該キーワードを含むホームページ概要文の入力を受けると、当該入力情報に基き、最適化施工処理装置１０はＨＴＭＬのキーワードタグ、当該キーワードを含むタイトルタグ及び当該キーワードを含むディスクリプションタグを自動生成する（Ｓ１０１）。
【００１７】
例えば図３（１）に示すように、キーワードとして「リモートエンジニアリング」と「監視システム」が、当該キーワードを含むホームページタイトルとして「監視システム／／リモートエンジニアリングのソリューションを提供」が、当該キーワードを含むホームページ概要文として「監視システム／リモートエンジニアリングの次世代ソリューションを提供。ＡＢＣ社では環境監視、情報漏洩監視、省エネ監視等のリモートエンジニアリングをご提供いたします。」がそれぞれ入力されると、例えば図３（２）に示すように、キーワードタグとして「リモートエンジニアリング，監視システム，情報漏洩，省エネ監視，セキュリティシステム，携帯メール検索」を、キーワードを含むタイトルタグとして「監視システム／リモートエンジニアリングの次世代ソリューションを提供」を、キーワードを含むディスクリプションタグとして「監視システム・リモートエンジニアリングの次世代ソリューションを提供。ＡＢＣ社では、環境監視、情報漏洩監視、省エネ監視等のリモートエンジニアリングをご提供致します。」を生成する。
【００１８】
因に、上記メタタグは、例えば次のアルゴリズムによって生成される。
１）ＨＴＭＬの文字タイプを認識する。
２）Ｃｈａｒｓｅｔ（Ｓｈｉｅｆｔ  ＪＩＳ  ｏｒ  ＥＵＣ）をスキャンする。
３）与えられたキーワードとホームページ概要文を用い、Ｃｈａｒｓｅｔがあればそれを認識し、そのＣｈａｒｓｅｔのメタタグを生成する。
【００１９】
次に、最適化施工処理装置１０は、ＨＴＭＬの既存構文に、前記自動生成したＨＴＭＬのキーワードタグ、当該キーワードを含むタイトルタグ及び当該キーワードを含むディスクリプションタグが存在するか否かを検索する（Ｓ１０２）。
【００２０】
前記検索の結果、自動生成したタグが存在しなかった場合、最適化施工処理装置１０は、ＨＴＭＬの既存構文を前記自動生成したタグ、すなわち自動生成したＨＴＭＬのキーワードタグ、当該キーワードを含むタイトルタグ及び当該キーワードを含むディスクリプションタグに置き換える（Ｓ１０３）。
【００２１】
他方、前記検索の結果、自動生成したタグが既に存在していた場合には、当該キーワード等は最適化施工に不向きであるため、最適化施工処理装置１０は、ＨＴＭＬの既存構文を置き換えることなく入力画面に戻し、他のキーワード、当該キーワードを含むホームページタイトル文及び当該キーワードを含むホームページ概要文の入力を求める（Ｓ１０４）。
【００２２】
次に、最適化施工処理装置１０は、前記置き換えられたＨＴＭＬのキーワードタグ、当該キーワードを含むタイトルタグ及び当該キーワードを含むディスクリプションタグに基づき、ホームページのヘッダー部及び／又はホームページのフッター部に、当該キーワード及び／又は当該キーワードを含むタイトル文を自動挿入する（Ｓ１０５）。
【００２３】
ここに自動挿入の例を挙げれば、図４（１）に示されるようなホームページのヘッダー部に、例えば図４（２）に示されるように、「監視システム・リモートエンジニアリングのソリューションを提供」と云うキーワードを含むタイトル文が挿入される。また、図５（１）に示されるようなホームページのフッター部に、例えば図５（２）に示されるように「監視システム・リモートエンジニアリングのソリューション提供」、「リモートエンジニアリング」と云うキーワードを含むタイトル文及びキーワードが挿入される。
【００２４】
而して、この段階で終了しても、検索エンジンが重要視するホームページのヘッダー部やフッター部に、特徴的なキーワード等が存在することになるので、検索エンジンにマッチし易くなり、当該ホームページの検索ランキングがアップする効果が得られる。
【００２５】
次に、最適化施工処理装置１０はディスプレイ装置部１３に、当該キーワード及び／又は当該キーワードを含むタイトル文を追加挿入すべき他の場所、すなわちホームページのヘッダー部及びフッター部以外の場所を指定するための入力画面を、ディスプレイ装置部１２に表示する（Ｓ１０６）。
【００２６】
次に、前記入力画面に、指定場所の入力を受けると、当該入力情報に基き、最適化施工処理装置１０は、ホームページ中の当該指定された場所にキーワード及び／又は当該キーワードを含むタイトル文を挿入する（Ｓ１０７）。
【００２７】
而して、この段階で終了すれば、ホームページのヘッダー部やフッター部以外の部分にも特徴的なキーワード等が存在することになるので、当該ホームページは、より検索エンジンにマッチし易くなる。
【００２８】
次に、最適化施工処理装置１０は、ＨＴＭＬタグ内にカスケードスタイルシート文が存在するか否かを検索する（Ｓ１０８）。
【００２９】
前記検索の結果、カスケードスタイルシート文が存在した場合には、最適化施工処理装置１０は、その部分を別ファイル化、すなわち別ファイル名で保存し、本文内のカスケードスタイル文を削除する（Ｓ１０９）。
【００３０】
他方、前記検索の結果、カスケードスタイル文が存在しなかった場合には、最適化施工処理装置１０は、ＨＴＭＬタグ内にジャバスクリット文が存在するか否かを検索する（Ｓ１１０）。
【００３１】
前記検索の結果、ジャバスクリット文が存在した場合には、最適化施工処理装置１０は、その部分を別ファイル化、すなわち別ファイル名で保存し、本文内のジャパスクリット文を削除する（Ｓ１１１）。
【００３２】
而して、この段階まで行えば、検索エンジンがロボット型のスパイダーで、ＨＴＭＬタグ内のカスケードスタイルシート文及びジャバスクリット文を読むことができない場合であっても、当該文が別ファイル化されているので、当該ホームページは、更に検索エンジンにマッチし易くなる。
【００３３】
尚、前記検索の結果、ジャバスクリット文が存在しなかった場合には、終了する。
【図面の簡単な説明】
【００３４】
【図１】本発明システムの概略構成説明図。
【図２】本発明システムの作動例を示す概略フローチャート。
【図３】（１）はキーワード等の入力画面例を示す図、（２）は自動生成メタタグ例を示す図。
【図４】（１）はホームページに自動挿入する前のヘッダー部を示す図、（２）はホームページに自動挿入した後のヘッダー部を示す図。
【図５】（１）はホームページに自動挿入する前のフッター部を示す図、（２）はホームページに自動挿入した後のフッター部を示す図。
【符号の説明】
【００３５】
１０：最適化施工処理装置
１１：入力装置部
１２：ディスプレイ装置部
１３：記憶装置部
【図１】
0004738916.tif 000002
【図２】
0004738916.tif 000003
【図３】
0004738916.tif 000004
【図４】
0004738916.tif 000005
【図５】
0004738916.tif 000006